(57)【要約】【課題】不確かな電子的または機械的機構を用いず、確実に施解錠の状態を確認できる機能を有し、さらに使い方も簡単、構造も単純でサイズもコンパクト、製造コストも安価なキー付属品を提供すること。【解決手段】キーヘッドを収納する第１ケース部材と、キーブレードを収納可能な第２ケース部材と、がそれぞれの端部同士で着脱自在に連結できるキーケースであって、前記第１ケース部材と前記第２ケース部材との連結時に、連結態様を変化させることによって、相対向する第１ケース部材の端部と第２ケース部材の端部との連結部周辺の外表面に、施錠状態を示す施錠記号と解錠状態を示す解錠記号のいずれかが現れる端部構造を具備する。【選択図】図１
2019013673.tif 000002
【特許請求の範囲】
【請求項１】
キーヘッドを収納する第１ケース部材と、
キーブレードを収納可能な第２ケース部材と、がそれぞれの端部同士で着脱自在に連結できるキーケースであって、
前記第１ケース部材と前記第２ケース部材との連結時に、連結態様を変化させることによって、相対向する第１ケース部材の端部と第２ケース部材の端部との連結部周辺の外表面に、施錠状態を示す施錠記号と解錠状態を示す解錠記号のいずれかが現れる端部構造を具備することを特徴とする施錠確認機能を有するキーケース。
【請求項２】
前記施錠記号を二分割して一方を第１施錠分割記号、他方を第２施錠分割記号とし、
前記第１ケース部材の端部の外表面に、前記第１施錠分割記号と、
前記第２ケース部材の端部の外表面に、前記第２施錠分割記号と、を具備することを特徴とする請求項１に記載の施錠確認機能を有するキーケース。
【請求項３】
前記解錠記号を二分割して一方を第１解錠分割記号、他方を第２解錠分割記号とし、
前記第１ケース部材の端部の外表面に、前記第１解錠分割記号と、
前記第２ケース部材の端部の外表面に、前記第２解錠分割記号と、を具備することを特徴とする請求項１に記載の施錠確認機能を有するキーケース。
【請求項４】
前記施錠記号を二分割して一方を第１施錠分割記号、他方を第２施錠分割記号とし、
前記解錠記号を二分割して一方を第１解錠分割記号、他方を第２解錠分割記号とし、
前記第１施錠分割記号と前記第１解錠分割記号が同じ共通分割記号となり、
前記第１ケース部材の端部の外表面に前記共通分割記号を具備し、
前記第２ケース部材の端部の一方の外表面に前記第２施錠分割記号と、その裏面の外表面に前記第２解錠分割記号と、を具備する、
または、前記第２ケース部材は、前記第１ケース部材と着脱自在に連結できるもう一つの端部を具備し、前記第２ケース部材の一方の端部の外表面に前記第２施錠分割記号と、他方の端部の外表面に前記第２解錠分割記号と、を具備することを特徴とする請求項１に記載の施錠確認機能を有するキーケース。
【請求項５】
前記施錠記号を二分割して一方を第１施錠分割記号、他方を第２施錠分割記号とし、
前記解錠記号を二分割して一方を第１解錠分割記号、他方を第２解錠分割記号とし、
前記第１施錠分割記号と前記第１解錠記号が同じ共通分割記号となり、
前記第２ケース部材の端部の外表面に前記共通分割記号を具備し、
前記第１ケース部材の端部の一方の外表面に前記第２施錠分割記号と、その裏面の外表面に前記第２解錠分割記号と、を具備することを特徴とする請求項１に記載の施錠確認機能を有するキーケース。
【請求項６】
前記第１ケース部材の端部の一方の外表面に前記施錠記号と、その裏面の外表面に前記解錠記号と、を具備し、
または、前記第１ケース部材の端部の外表面に前記施錠記号と前記解錠記号のどちらか一方を具備し、
前記第２ケース部材の端部に、前記第１ケース部材との連結時に前記第１ケース部材の端部の外表面に具備された前記施錠記号または前記解錠記号を覆い隠す被覆部を具備することを特徴とする請求項１に記載の施錠確認機能を有するキーケース。
【請求項７】
前記第２ケース部材の端部の一方の外表面に前記施錠記号と、その裏面の外表面に前記解錠記号と、を具備し、
または、前記第２ケース部材の端部の外表面に前記施錠記号と前記解錠記号のどちらか一方を具備し、
前記第１ケース部材の端部に、前記第２ケース部材との連結時に前記第２ケース部材の端部の外表面に具備された前記施錠記号または前記解錠記号を覆い隠す被覆部を具備することを特徴とする請求項１に記載の施錠確認機能を有するキーケース。
【発明の詳細な説明】
【技術分野】
【０００１】
本発明は、外出先でもその場で住居等の施解錠状態を容易に目視で確認できるような施錠確認機能を有するキーケースに関するものである。
【背景技術】
【０００２】
自宅や会社等から出かける際、急いでいたり他のことを考えていたりして、無意識に玄関を施錠してしまい、外出先で、きちんと施錠して出かけたか不安に襲われた場合には、戻って施錠の確認をする、もしくは戻らずに外出先での用事を済ませることになる。戻って施錠の確認をする場合、施錠されている場合は無駄足になり、戻らない場合は不安な状態のまま過ごさなければならない。そのような不安や不便を解消するべく、現在までに様々な施錠確認機能を有するキー付属品が提案されてきた。
【０００３】
例えば、特許文献１の発明では、施解錠操作の際にキーホルダー内部に設けられた半導体素子がひずむことで抵抗が変化し、それによって発生した電圧に基づいて表示器に電子信号によって施解錠情報を表示させるキーホルダーが開示されている。
【０００４】
また、特許文献２の発明では、施解錠操作におけるキーのシリンダへの挿入の際に、ホルダ内部に設けられたスライダーが押され、その度にスライダーが突出した位置と没入した位置で交互に切り替わることで、その位置によって施解錠が確認できるキー付属品が開示されている。また、施解錠操作におけるキーの回動操作の際に、ホルダ内部に設けられたキーヘッドに固定した回動体がホルダと相対的に一定角度回動して傾斜方向が切り替わり、その傾斜方向によって施錠か解錠かを表示する表示部を設けることで施解錠を確認できるキー付属品が開示されている。
【０００５】
上記のように従来技術では、電子的または機械的な機構によって施解錠時に自動で施錠状態または解錠状態を示す表示が切り替わるという施錠確認機能を有するキー付属品が多く提案されている。
【先行技術文献】
【特許文献】
【０００６】
【特許文献１】特開２００４−１００３６８号公報
【特許文献２】特開平１０−２３８１８０号公報
【発明の概要】
【発明が解決しようとする課題】
【０００７】
上記のような電子的または機械的機構によって自動で施解錠表示が切り替わるキー付属品は、構造が複雑で部品点数も多くなるので、サイズが大きくなったり、製造コストがかかってしまう。また、電子的機構を利用するものは、雨などの水にも弱く、電池切れなどで急に機能停止する可能性がある。そして機械的機構を利用するものにおいても経年劣化による部品の摩耗や変形などによって誤動作などを起こす可能性もある。たとえ故障が起こらなかったとしても、自動装置の場合は、意図せずに何かの拍子で施解錠の表示が切り替わってしまうかもしれないという不安が付きまとう。
【０００８】
本発明が解決しようとする課題は、不確かな電子的または機械的機構を用いず、確実に施解錠の状態を確認できる機能を有し、さらに使い方も簡単、構造も単純でサイズもコンパクト、製造コストも安価なキー付属品を提供することである。
【課題を解決するための手段】
【０００９】
本発明は、キーヘッドを収納する第１ケース部材と、キーブレードを収納可能な第２ケース部材と、がそれぞれの端部同士で着脱自在に連結できるキーケースであって、前記第１ケース部材と前記第２ケース部材との連結時に、連結態様を変化させることによって、相対向する第１ケース部材の端部と第２ケース部材の端部との連結部周辺の外表面に、施錠状態を示す施錠記号と解錠状態を示す解錠記号のいずれかが現れる端部構造を具備することを特徴とする。
【００１０】
さらに、前記施錠記号を二分割して一方を第１施錠分割記号、他方を第２施錠分割記号とし、前記第１ケース部材の端部の外表面に、前記第１施錠分割記号と、前記第２ケース部材の端部の外表面に、前記第２施錠分割記号と、を具備することを特徴とする。
【００１１】
あるいは、前記解錠記号を二分割して一方を第１解錠分割記号、他方を第２解錠分割記号とし、前記第１ケース部材の端部の外表面に、前記第１解錠分割記号と、前記第２ケース部材の端部の外表面に、前記第２解錠分割記号と、を具備することを特徴とする。
【００１２】
さらに、前記施錠記号を二分割して一方を第１施錠分割記号、他方を第２施錠分割記号とし、前記解錠記号を二分割して一方を第１解錠分割記号、他方を第２解錠分割記号とし、前記第１施錠分割記号と前記第１解錠分割記号が同じ共通分割記号となり、前記第１ケース部材の端部の外表面に前記共通分割記号を具備し、前記第２ケース部材の端部の一方の外表面に前記第２施錠分割記号と、その裏面の外表面に前記第２解錠分割記号と、を具備する、または、前記第２ケース部材は前記第１ケース部材と着脱自在に連結できるもう一つの端部を具備し、前記第２ケース部材の一方の端部の外表面に前記第２施錠分割記号と、他方の端部の外表面に前記第２解錠分割記号と、を具備することを特徴とする。
【００１３】
あるいは、前記施錠記号を二分割して一方を第１施錠分割記号、他方を第２施錠分割記号とし、前記解錠記号を二分割して一方を第１解錠分割記号、他方を第２解錠分割記号とし、前記第１施錠分割記号と前記第１解錠記号が同じ共通分割記号となり、前記第２ケース部材の端部の外表面に前記共通分割記号を具備し、前記第１ケース部材の端部の一方の外表面に前記第２施錠分割記号と、その裏面の外表面に前記第２解錠分割記号と、を具備することを特徴とする。
【００１４】
あるいは、前記第１ケース部材の端部の一方の外表面に前記施錠記号と、その裏面の外表面に前記解錠記号と、を具備し、または、前記第１ケース部材の端部の外表面に前記施錠記号と前記解錠記号のどちらか一方を具備し、前記第２ケース部材の端部に、前記第１ケース部材との連結時に前記第１ケース部材の端部の外表面に具備された前記施錠記号または前記解錠記号を覆い隠す被覆部を具備することを特徴とする。
【００１５】
あるいは、前記第２ケース部材の端部の一方の外表面に前記施錠記号と、その裏面の外表面に前記解錠記号と、を具備し、または、前記第２ケース部材の端部の外表面に前記施錠記号と前記解錠記号のどちらか一方を具備し、前記第１ケース部材の端部に、前記第２ケース部材との連結時に前記第２ケース部材の端部の外表面に具備された前記施錠記号または前記解錠記号を覆い隠す被覆部を具備することを特徴とする。
【発明の効果】
【００１６】
本発明のキーケースは、第１ケース部材と第２ケース部材に分かれており、施解錠でキーを使用するときは第１ケース部材と第２ケース部材を分離させて、使用後は施錠状態を示す施錠記号もしくは解錠状態を示す解錠記号のうち選択したどちらかがキーケース表面に表示されるように連結させてキーを内部に収納する。従って、施解錠時には必ず分離連結操作を行うことになる。そのため、施錠を行うところまでが無意識だったとしても、その後に施錠記号が現れるように連結させるという操作を行う必要があるため、きちんと施錠を行ったという意識や記憶も残りやすい。
【００１７】
また、電子機構や機械機構を使用していないので、電池切れ等による意図しない誤動作を起こす心配がなく、確実に施錠状態および解錠状態を確認することができ、サイズもコンパクトで安価に製造できる。
【図面の簡単な説明】
【００１８】
【図１】本発明の施錠確認機能を有するキーケースの第１の実施形態を示した斜視図である。
【図２】施錠状態を示す施錠記号および解錠状態を示す解錠記号の例を示した図であり、（Ａ）および（Ｃ）が施錠記号、（Ｂ）および（Ｄ）が解錠記号である。
【図３】第１の実施形態で第１ケース部材と第２ケース部材が連結して施錠状態を示すときの斜視図であって、（Ａ）を表としたとき（Ｂ）は裏である。
【図４】第１の実施形態で第１ケース部材と第２ケース部材が連結して解錠状態を示すときの斜視図であって、（Ａ）を表としたとき（Ｂ）は裏である。
【図５】第１ケース部材にキーヘッドを保持する手段の例を示した図である。
【図６】本発明の施錠確認機能を有するキーケースの第２の実施形態を示した斜視図である。
【図７】第２の実施形態で第１ケース部材と第２ケース部材が連結して施錠状態を示すときの斜視図であって、（Ａ）を表としたとき（Ｂ）は裏である。
【図８】第２の実施形態で第１ケース部材と第２ケース部材が連結して解錠状態を示すときの斜視図であって、（Ａ）を表としたとき（Ｂ）は裏である。
【図９】本発明の施錠確認機能を有するキーケースの第３の実施形態を示した斜視図である。
【図１０】第３の実施形態で第１ケース部材と第２ケース部材が連結して施錠状態を示すときの斜視図であって、（Ａ）を表としたとき（Ｂ）は裏である。
【図１１】第３の実施形態で第１ケース部材と第２ケース部材が連結して解錠状態を示すときの斜視図であって、（Ａ）を表としたとき（Ｂ）は裏である。
【図１２】第３の実施形態における一実施例を示した斜視図である。
【図１３】第３の実施形態における一実施例で第１ケース部材と第２ケース部材が連結して施錠状態を示すときの斜視図であって、（Ａ）を表としたとき（Ｂ）は裏である。
【図１４】第３の実施形態における一実施例で第１ケース部材と第２ケース部材が連結して解錠状態を示すときの斜視図であって、（Ａ）を表としたとき（Ｂ）は裏である。
【発明を実施するための形態】
【００１９】
以下、図面を参照しながら、本発明の好適ないくつかの実施形態を説明する。
＜第１の実施形態＞
本発明の第１の実施形態に係る施錠確認機能を有するキーケースについて、図１から図４を参照しつつ説明する。図１に示すように、キーケース１は第１ケース部材１０と、第２ケース部材２０とを有する。第１ケース部材１０は内部が中空で、内部にキー７０のキーヘッド７１を収納し、開口部１１からキーブレード７２を突出させることができるようになっている。第２ケース部材２０も内部が中空で、開口部２１からキーブレード７２を挿入して内部にキーブレード７２を収納できるようになっている。そして第１ケース部材１０の開口部１１側の端部には嵌合凹部１２と、第２ケース部材２０の開口部２１側の端部には嵌合凸部２２とが設けられており、第１ケース部材１０と第２ケース部材２０は前記嵌合凹部１２および嵌合凸部２２が着脱自在に嵌合することによって連結して内部にキー７０を収納できる。
【００２０】
第１ケース部材１０の開口部１１の反対側の面に貫通孔１３を設けて、キー７０のリング穴７３に紐７４を結び付け、紐７４を第１ケース部材１０の内部から貫通孔１３を通じて第１ケース部材１０の外部に通して貫通孔１３より径が大きなリング７５に結び付けることで、第１ケース部材１０にキー７０を保持できるようにしてもよい。そうすると、施解錠時等にキーやケース部材を落としたりして失くしてしまう可能性を減らせる。
【００２１】
図２（Ａ）および（Ｂ）は南京錠を記号化したものであり、図２（Ａ）の施錠記号８０は、南京錠の吊が本体に結合している様子を表した記号であって、施錠状態を示し、図２（Ｂ）の解錠記号８３は、南京錠の吊の一端が本体から離れている様子を表した記号であって、解錠状態を示す。そして図２（Ａ）の施錠記号８０を上下で二分割した下側の本体部分を第１施錠分割記号８１、上側の吊部分を第２施錠分割記号８２とし、図２（Ｂ）の解錠記号８３を上下で二分割した下側の本体部分を第１解錠分割記号８４、上側の吊部分を第２解錠分割記号８５とする。前記第１施錠分割記号８１および前記第２施錠分割記号８２および前記第１解錠分割記号８４および前記第２解錠分割記号８５は、それ単独では南京錠の部品の一部を表す記号でしかないので、分割記号だけでは施錠状態か解錠状態かは分からないようになっている。
【００２２】
本実施形態で用いた施錠記号および解錠記号である図２（A）および（B）においては、前記第１施錠分割記号８１と前記第１解錠分割記号８４は同じ記号となるため、これを共通分割記号８６とする。第１ケース部材１０の開口部１１側の外表面に前記共通分割記号８６を設ける。第２ケース部材２０の開口部２１側の一方の外表面に第２施錠分割記号８２と、その裏面の外表面に第２解錠分割記号８５とを設ける。ここで第２ケース部材２０の第２施錠分割記号８２または第２解錠分割記号８５は、第１ケース部材１０との連結時に第１ケース部材１０の共通分割記号８６と同じ面で相対向できるように設ける。
【００２３】
外出する際、施錠し終わってキー７０をキーケース１に収納するときは、第１ケース部材１０と第２ケース部材２０を、図３に示すように連結させる。第１ケース部材１０に設けられた共通分割記号８６と第２ケース部材２０に設けられた第２施錠分割記号８２とが同じ面で相対向し、連結部周辺には図３（Ａ）に示すように施錠記号８０が現れる。その時の裏面は図３（B）に示すようになっており、連結部周辺には第２解錠分割記号８５だけが表示される。従って、この時のキーケース１の外観上には施錠記号８０と、単独では意味をなさない第２解錠分割記号８５とが現れているため、施錠状態であることが確認できる。
【００２４】
外出先から戻った際は、キーケース１を分離させてキー７０を使用して解錠する。解錠し終わって再びキー７０を収納するときは、図４に示すように第１ケース部材１０と第２ケース部材２０を連結させる。第１ケース部材１０に設けられた共通分割記号８６と第２ケース２０に設けられた第２解錠分割記号８５とが同じ面で相対向し、連結部周辺には図４（Ａ）に示すように解錠記号８３が現れる。その時の裏面は図４（B）に示すようになっており、連結部周辺には第２施錠分割記号８２だけが表示される。従って、この時のキーケース１の外観上には解錠記号８３と、単独では意味をなさない第２施錠分割記号８２とが現れているため、解錠状態であることが確認できる。
【００２５】
本実施形態では、第１ケース部材１０に共通分割記号８６を設け、第２ケース部材２０に第２施錠分割記号８２および第２解錠分割記号８５を設けたが、第２ケース部材に共通分割記号８６を設け、第１ケース部材に第２施錠分割記号８２および第２解錠分割記号８５を設けてもよい。その場合は、第１ケース部材には、上記で共通分割記号８６を設けていた場所に第２施錠分割記号８２を設け、その裏面の外表面に第２解錠分割記号８５を設ける。第２ケース部材には、上記で第２施錠分割記号８２および第２解錠分割記号８５を設けていた場所のどちらかに共通分割記号８６を設ける。そうすると、施錠の際には、第２ケース部材の共通分割記号８６と第１ケース部材の第２施錠分割記号８２とが同じ面で相対向するように連結させることで連結部周辺に施錠記号８０が現れる。また、解錠の際には、第２ケース部材の共通分割記号８６と第１ケース部材の第２解錠分割記号８５とが同じ面で相対向するように連結させることで連結部周辺に解錠記号８３が現れる。
【００２６】
また、本実施形態では連結時にその連結態様によって施錠記号８０と解錠記号８３のどちらかが必ず現れる実施形態について説明したが、第１ケース部材１０に第１施錠分割記号８１と第２施錠分割記号８２のどちらか一方を設け、第２ケース部材２０に他方を設けて、施錠記号８０だけが現れ得る、または第１ケース部材１０に第１解錠分割記号８４と第２解錠分割記号８５のどちらか一方を設け、第２ケース部材２０に他方を設けて、解錠記号８３だけが現れ得るようにしてもよい。施錠記号８０だけが現れ得る場合、施錠した際は、上記と同様に連結部周辺に施錠記号８０が現れるように連結すればよく、解錠した際は、連結部周辺に施錠記号８０が揃わないようそれぞれの施錠分割記号が単独で表示されるように連結すればよい。この場合、解錠した際に解錠記号は現れないが、施錠記号８０が現れない場合が解錠状態であると認識しておけばよい。解錠記号８３だけが現れ得る場合も同様に、解錠記号８３が現れている時が解錠状態で、解錠記号８３が現れていない時が施錠状態であると認識しておけばよい。
【００２７】
本発明における施錠記号および解錠記号は、その記号が表示されたときに施錠状態あるいは解錠状態であることが分かるような記号であれば、図２（Ｃ）および（Ｄ）に示したような記号や、文字、図形、絵、マーク等何でもよい。ケース自体の色や形状に変化をつける等でもよい。ただし、施錠記号または解錠記号を分割したときの分割記号がそれ単独では施錠状態または解錠状態であると誤認しづらい記号が好ましい。また、本実施形態のように、施錠記号と解錠記号のどちらも現れ得るようにする場合には、施錠記号を二分割した時の一方の施錠分割記号と、解錠記号を二分割した時の一方の解錠分割記号が同じ共通分割記号となるような記号を選択することが好ましい。
【００２８】
本発明における第１ケース部材と第２ケース部材の連結手段としては、本実施形態では、第１ケース部材１０に嵌合凹部１２と、第２ケース部材２０に嵌合凸部２２を設けて、嵌合によって連結する例を示したが、第１ケース部材に嵌合凸部を設け、第２ケース部材に嵌合凹部を設けてもよい。さらに第１ケース部材と第２ケース部材の連結手段は嵌合部によるものでなくても着脱自在に連結できる連結手段であれば何でもよい。
【００２９】
本発明におけるキーの形状についても、図１に示したキー７０のような形状のものだけではなく、キーヘッドが丸型のものやキーブレードが円筒系のもの等、本発明のキーケースに入る形状のキーであれば何でもよい。また、カードキー等でもよい。
【００３０】
また、本発明における第１ケース部材にキーを保持する手段についても、使用するキーのキーヘッドに合うように第１ケース部材を成形して第１ケース部材自体でキーヘッドを固定してキーを保持できるようにしてもよいし、スペーサー等を第１ケース部材内部に設けてキーヘッドを固定してキーを保持できるようにしてもよい。また、図５（A）に示すように第１ケース部材を二つの部材から組み立てられるようにして、一方の部材にはキー７０のリング穴７３に合う位置に固定用突起９０を設け、もう一方の部材には前記固定用突起９０に設けられた嵌合穴９１に嵌合する嵌合突起９２を設けて、第１ケース部材を組み立てる際に、リング穴７３に固定用突起９０を通し、固定用突起９０の嵌合穴９１に嵌合突起９２を嵌合させることによって、第１ケース部材とキーヘッド７１を固定して保持できるようにしてもよい。また、図５（B）に示すように第１ケース部材にキー７０のリング穴７３に合う位置にボルト穴９５を設け、ボルト９３をボルト穴９５およびリング穴７３に挿通させてナット９４で締結することにより、第１ケース部材とキーヘッド７１を固定して保持できるようにしてもよい。これらの場合には、第１ケース部材からキーヘッドを出さずに施解錠することが可能となるため、常にキーヘッドが第１ケース部材に覆われた状態となり、キーヘッドに付された鍵番号を第三者に盗み見られて合鍵を作製されるといったような被害を防ぐことが出来る。
【００３１】
第１ケース部材および第２ケース部材の形状についても、本実施形態では矩形のものを示したが、全体に丸みを帯びさせて開口部が楕円形になるようなオーバル形等でもよい。第１ケース部材と第２ケース部材の１つの連結態様に対して、第１ケース部材と第２ケース部材の連結方向を軸として第２ケース部材を反転して第１ケース部材と連結する別の連結態様を取れるような形状であれば何でもよい。
【００３２】
＜第２の実施形態＞
次に第２の実施形態に係る施錠確認機能を有するキーケースについて、図６から図８を参照しつつ説明する。なお、第１の実施形態と同様の構成については、同一の符号を付して説明を省略する。本実施形態のキーケース２は、第１の実施形態のキーケース１の第２ケース部材２０に替えて第２ケース部材２５を用いる。図６に示すように、前記第２ケース部材２５は内部が中空で、開口部２６と開口部２８との２か所の開口部を有する。また、開口部２６側の端部に嵌合凸部２７と、開口部２８側の端部に嵌合凸部２９とを設け、それぞれ第１ケース部材１０の嵌合凹部１２に着脱自在に嵌合する。そして、第２ケース部材２５の開口部２６側の外表面に第２施錠分割記号８２と、前記第２施錠分割記号８２を設けた面と同じ面の開口部２８側の外表面に第２解錠分割記号８５とを設ける。ここで第２ケース部材２５の第２施錠分割記号８２または第２解錠分割記号８５は、第１ケース部材１０との連結時に第１ケース部材１０の共通分割記号８６と同じ面で相対向できるように設ける。
【００３３】
施錠した際には、第１ケース部材１０と第２ケース部材２５を図７に示すように連結させる。第１ケース部材１０の嵌合凹部１２と第２ケース部材２５の嵌合凸部２７とで連結させることで、第２ケース部材２５の第２施錠分割記号８２と第１ケース部材１０の共通分割記号８６とが同じ面で相対向し、連結部周辺には図７（Ａ）に示すように施錠記号８０が現れる。その時の裏面には図７（Ｂ）に示すように何も表示されない。従って、この時のキーケース２の外観上には連結部周辺に施錠記号８０と、端部に単独では意味をなさない第２解錠分割記号８５が現れているだけなので、施錠状態であることが確認できる。
【００３４】
解錠した際には、第１ケース部材１０と第２ケース部材２５を図８に示すように連結させる。第１ケース部材１０の嵌合凹部１２と第２ケース部材２５の嵌合凸部２９とで連結させることで、第２ケース部材２５の第２解錠分割記号８５と第１ケース部材１０の共通分割記号８６とが同じ面で相対向し、連結部周辺には図８（A）に示すように解錠記号８３が現れる。その時の裏面には図８（Ｂ）に示すように何も表示されない。従って、この時のキーケース２の外観上には連結部周辺に解錠記号８３と、端部に単独では意味をなさない第２施錠分割記号８２が現れているだけなので、解錠状態であることが確認できる。
【００３５】
本実施形態において、第１ケース部材１０には共通分割記号８６を設けたが、第１ケース部材１０の開口部１１側の一方の外表面に第１施錠分割記号８１と、その裏面の外表面に第１解錠分割記号８４とを設けてもよい。この場合、施錠した際は、第１ケース部材１０の第１施錠分割記号８１と、第２ケース部材２５の第２施錠分割記号８２が同じ面で相対向するように連結すると施錠記号８０が現れ、解錠した際は、第１ケース部材１０の第１解錠分割記号８４と、第２ケース部材２５の第２解錠分割記号８５が同じ面で相対向するように連結すると解錠記号８３が現れるので、施解錠状態の確認ができる。また、その逆で、第１ケース部材１０の一方の外表面に第２施錠分割記号８２と、その裏面の外表面に第２解錠分割記号８５とを設け、第２ケース部材２５の開口部２６側の端部の外表面に第１施錠分割記号８１と第１解錠分割記号８４のどちらか一方と、開口部２８側の端部の外表面に他方とを設けてもよい。これらの場合には、第１施錠分割記号、第２施錠分割記号、第１解錠分割記号、および第２解錠分割記号をそれぞれ設けるため、第１施錠分割記号と第１解錠分割記号が共通分割記号である必要がなく、多様な施錠記号および解錠記号を用いることが出来る。
【００３６】
本実施形態において、第１ケース部材１０の嵌合凹部１２に嵌合するように、第２ケース部材２５の開口部２６側の端部に嵌合凸部２７と、開口部２８側の端部に嵌合凸部２９とを設けたが、第１ケース部材１０の開口部１１側の端部に嵌合凸部を設け、第２ケース部材２５の開口部２６側の端部および開口部２８側の端部に、前記嵌合凸部と嵌合する嵌合凹部を設けてもよい。また、他の着脱自在な連結手段を用いてもよい。
【００３７】
本実施形態におけるキーケースの形状について、本実施形態で用いた矩形だけではなく、オーバル形等、開口部２６側の端部と開口部２８側の端部の形状が同じであれば何でもよい。例えば三角柱形状等でもよい。
【００３８】
＜第３の実施形態＞
次に、第３の実施形態に係る施錠確認機能を有するキーケースについて、図９〜図１１を参照しつつ説明する。図９に示すように、キーケース３は第１ケース部材３０と、第２ケース部材４０とを有する。第１ケース部材３０の内部は中空で、内部にキー７６のキーヘッド７７を収納し、開口部３１からキーブレード７８を突出させることができるようになっている。第２ケース部材４０も内部が中空で、開口部４１からキーブレード７８を挿入して内部にキーブレード７８を収納できるようになっている。そして第１ケース部材３０の開口部３１側の端部には嵌合凸部３２と、第２ケース部材４０の開口部４１側の端部には嵌合凹部４２とが設けられており、第１ケース部材３０と第２ケース部材４０は前記嵌合凸部３２および嵌合凹部４２が着脱自在に嵌合することによって連結して内部にキー７６を収納するのは第１および第２の実施形態と同様である。
【００３９】
なお、図９に示したキー７６のキーヘッド７７は丸形であり、第１ケース部材３０と第２ケース部材４０の開口部と反対側の端部も円形のものを示したが、それらに限らず第１の実施形態と同様に角形や矩形等、その他の形状でもかまわない。
【００４０】
また、第１の実施形態と同様に、第１ケース部材３０の開口部３１の反対側に貫通孔３３を設けて、キー７６のリング穴７９に紐７４を結び付け、紐７４を第１ケース部材３０の内部から貫通孔３３を通じて第１ケース部材３０の外部に通して貫通孔３３より径が大きなリング７５に結び付けることで、第１ケース部材３０にキー７６を保持できるようにしてもよい。また、図５に示した手段や、スペーサーを用いる等のその他の手段によって、第１ケース部材３０とキーヘッド７７を固定して保持できるようにし、第１ケース部材３０からキーヘッド７７を出さずに施解錠できるようにしてもよい。
【００４１】
本実施形態では、図９に示すように第１ケース部材３０の開口部３１側の一方の外表面に段部３４と、その裏側の外表面に段部３５とを設ける。そして、段部３４の外表面に施錠記号８７と、段部３５の外表面に解錠記号８８とを設ける。ここでは施錠記号として図２（Ｃ）に示す記号を、解錠記号として図２（Ｄ）に示す記号を用いたが、第１の実施形態と同様に、図２（Ａ）および（Ｂ）を用いてもよいし、他の記号を用いてもよい。そして、図９に示すように第２ケース部材４０の開口部４１側の端部に、前記第１ケース部材３０との連結時に前記段部３４または段部３５に係合して施錠記号８７または解錠記号８８を覆い隠すような被覆部４３を設ける。
【００４２】
施錠した際には、第１ケース部材３０と第２ケース部材４０を図１０に示すように連結させる。第１ケース部材３０の解錠記号８８を設けた側の段部３５と、第２ケース部材４０の被覆部４３とが同じ面になるように連結すると、図１０（Ｂ）に示すように第２ケース部材４０の被覆部４３が第１ケース部材３０の段部３５と係合して解錠記号８８を覆い隠す。その時の裏面は図１０（A）に示すように施錠記号８７が表示される。従って、この時のキーケース３の外観上には施錠記号８７だけが現れているため、施錠状態であることが確認できる。
【００４３】
解錠した際には、第１ケース部材３０と第２ケース部材４０を図１１に示すように連結させる。第１ケース部材３０の施錠記号８７を設けた側の段部３４と、第２ケース部材４０の被覆部４３とが同じ面になるように連結すると、図１１（Ｂ）に示すように第２ケース部材４０の被覆部４３が第１ケース部材３０の段部３４と係合して施錠記号８７を覆い隠す。その時の裏面は図１１（Ａ）に示すように解錠記号８８が表示される。従って、この時のキーケース３の外観上には解錠記号８８だけが現れているため、解錠状態であることが確認できる。
【００４４】
本実施形態では、第１および第２の実施形態と異なり、第１ケース部材３０に施錠記号および解錠記号を分割せずに設けるため、第１および第２の実施形態よりも多様な施錠記号および解錠記号を用いることができる。
【００４５】
本実施形態では、第１ケース部材３０に施錠記号８７および解錠記号８８を設け、第２ケース部材４０に前記施錠記号８７または前記解錠記号８８を覆い隠す被覆部４３を設けたが、第２ケース部材に施錠記号および解錠記号を設け、第１ケース部材に前記施錠記号または前記解錠記号を覆い隠す被覆部を設けてもよい。また、第１ケース部材３０の開口部３１側の端部に嵌合凸部３２と、第２ケース部材４０の開口部４１側の端部には嵌合凹部４２とを設けたが、第１ケース部材３０の開口部３１側の端部に嵌合凹部と、第２ケース部材４０の開口部４１側の端部に嵌合凸部とを設けてもよい。また、他の着脱自在に連結する連結手段を用いてもよい。
【００４６】
本実施形態では、第２ケース部材４０の被覆部４３は、第２ケース部材４０の外表面と同じ高さであったため、それと係合するように第１ケース部材３０に段部３４および段部３５を設けたが、第１ケース部材に段部を設けずに外表面に施錠記号および解錠記号を設けて、第２ケース部材の被覆部を外表面よりも一段高く設けることで、第１ケース部材の施錠記号または解錠記号を覆い隠すようにしてもよい。その他、連結時に施錠記号または解錠記号を覆い隠せる手段であれば何でもよい。
【００４７】
また、本実施形態では連結時にその連結態様によって施錠記号８７と解錠記号８８のどちらかが必ず現れるように第１ケース部材３０に施錠記号８７および解錠記号８８の両方を設ける実施形態について説明したが、どちらか一方だけを設けてもよい。施錠記号８７だけを設けた場合、施錠した際には、上記と同様に施錠記号８７が現れるように連結すると施錠状態であることが確認できる。解錠の際には、施錠記号８７を隠すように連結し、施錠記号８７が外観上に現れていない状態のときが解錠状態であると認識しておけばよい。解錠記号８８だけを設けた場合も同様に、解錠記号８８が外観上に現れていない状態のときが施錠状態であると認識しておけばよい。
【００４８】
＜実施例＞
ここで、本実施形態において、第１ケース部材に解錠記号だけを設けた場合についての一実施例を図１２〜図１４を参照しつつ説明する。図１２に示すように、本実施例のキーケース５は第１ケース部材片５０と、第１ケース部材片５５と、第２ケース部材片６０と、第２ケース部材片６５と、被覆部材６８とを有する。第１ケース部材片５０に設けられた取付突起５３と第１ケース部材片５５に設けられた取付穴５７とが嵌着して第１ケース部材片５０と第１ケース部材片５５は一体となる。これは第３の実施形態における第１ケース部材に相当する。また、第２ケース部材片６０の段部６１の側面に設けられたスライド溝６４に、被覆部材６８の側面に設けられたスライド突起６９が嵌挿されて被覆部材６８と第２ケース部材片６０は一体となり、さらに第２ケース部材片６０に設けられた取付突起６３と第２ケース部材片６５に設けられた取付穴６７とが嵌着して第２ケース部材片６０と第２ケース部材片６５は一体となる。これは第３の実施形態における第２ケース部材に相当する。また、図１２に示すように、第１ケース部材片５０は段部５１と、突部５２と、段部５１の外表面に解錠記号８８とを有し、段部５１は連結時に第２ケース部材の被覆部材６８と係合できる。第１ケース部材片５５は切欠部５６を有し、切欠部５６も連結時に第２ケース部材の被覆部材６８と係合できる。第２ケース部材片６０は切欠部６２を有し、切欠部６２は連結時に第１ケース部材片５０の突部５２と係合できる。第２ケース部材片６５は切欠部６６を有し、切欠部６６も連結時に第１ケース部材片５０の突部５２と係合できる。
【００４９】
施錠した際には、第１ケース部材と第２ケース部材を図１３に示すように連結させる。図１３（A）に示すように第２ケース部材片６０に嵌挿されている被覆部材６８が第１ケース部材片５０の段部５１と係合し、段部５１の外表面に設けられた解錠記号８８を覆い隠す。その内側で第１ケース部材片５０の突部５２は第２ケース部材片６０の切欠部６２と係合している。その時の裏面が図１３（B）であり、第１ケース部材片５５に切欠部５６と第２ケース部材片６５に切欠部６６とが設けられているため、内部に収納しているキー７６が露出して見えるようになっている。本実施例では施錠記号は設けていないが、露出されたキー７６を施錠記号の代わりとしてもよい。従って、この時のキーケース５の外観上には施錠記号の代わりとなる露出されたキー７６だけ現れているので施錠状態であることが確認できる。
【００５０】
解錠した際には、第１ケース部材と第２ケース部材を図１４に示すように連結させる。図１４（A）に示すように第１ケース部材片５０の突部５２と第２ケース部材片６５の切欠部６６とが係合し、第１ケース部材と第２ケース部材の連結部周辺に段部５１の外表面に設けた解錠記号８８が現れる。その時の裏面が図１４（B）であり、第１ケース部材片５５の切欠部５６と第２ケース部材片６０に嵌挿された被覆部材６８とが係合し、内部のキー７６も見えないようになっている。従って、この時のキーケース５の外観上には解錠記号８８だけが現れているので解錠状態であることが確認できる。
【符号の説明】
【００５１】
１、２、３、５・・・キーケース  ；  １０、３０・・・第１ケース部材  ；  ２０、２５、４０・・・第２ケース部材  ；  １１、２１、２６、２８、３１、４１・・・開口部  ；  １２、４２・・・嵌合凹部  ；  ２２、２７、２９、３２・・・嵌合凸部  ；  ３４、３５、５１、６１・・・段部  ；  ４３・・・被覆部  ；  ５０、５５・・・第１ケース部材片  ；  ６０、６５・・・第２ケース部材片  ；  ５６、６２、６６・・・切欠部  ；  ５２・・・突部  ；  ５３、６３・・・取付突起  ；  ５７、６７・・・取付穴  ；  ６４・・・スライド溝  ；  ６８・・・被覆部材  ；  ６９・・・スライド突起  ；  １３、３３・・・貫通孔  ；  ７０、７６・・・キー  ；  ７１、７７・・・キーヘッド  ；  ７２、７８・・・キーブレード  ；  ７３、７９・・・リング穴  ；  ７４・・・紐  ；  ７５・・・リング  ；  ８０、８７・・・施錠記号  ；  ８３、８８・・・解錠記号  ；  ８１・・・第１施錠分割記号  ；  ８２・・・第２施錠分割記号  ；  ８４・・・第１解錠分割記号  ；  ８５・・・第２解錠分割記号  ；  ８６・・・共通分割記号  ；  ９０・・・固定用突起  ；  ９１・・・嵌合穴  ；  ９２・・・嵌合突起  ；  ９３・・・ボルト  ；  ９４・・・ナット  ；  ９５・・・ボルト穴
【図１】
2019013673.tif 000003
【図２】
2019013673.tif 000004
【図３】
2019013673.tif 000005
【図４】
2019013673.tif 000006
【図５】
2019013673.tif 000007
【図６】
2019013673.tif 000008
【図７】
2019013673.tif 000009
【図８】
2019013673.tif 000010
【図９】
2019013673.tif 000011
【図１０】
2019013673.tif 000012
【図１１】
2019013673.tif 000013
【図１２】
2019013673.tif 000014
【図１３】
2019013673.tif 000015
【図１４】
2019013673.tif 000016